(57)【要約】【課題】  １つの霧化容器に１つの液体が入れられて霧化されるため、複数の液体の霧化粒子を混合した放出することはできないという問題があった。【解決手段】  筐体８のほぼ中央にしきり９を設けて２つの霧化容器１０、１１を構成し、この霧化容器１０、１１の底部にそれぞれ超音波振動子１２．１３を装着し、これらの超音波振動子１２．１３に、筐体８の底部に装着した発振器１４から発振出力を印可し、又、２つの霧化容器１０，１１の上部に１つの放射口１５を設けた覆い１６が装着されている。【選択図】図１
2009034585.tif 000002
【特許請求の範囲】
【請求項１】
１つの筐体と、該筐体の内部にしきりを設けて分離して装着され、上部に１つの放出口を設けた少なくとも２つの霧化容器と、該霧化容器の底部にそれぞれ装着された超音波振動子と、前記筐体の底部に装着され、前記超音波振動子にそれぞれ発振出力を印可する発振器とからなり、２つのの霧化容器に異なった液体を入れ、それぞれ発生した霧化粒子を前記放出口から混合して放出することを特徴とする超音波霧化装置。
【請求項２】
前記霧化容器は前記筐体にしきりを設けて３つに分離され、それぞれの容器に異なった液体を入れ、それぞれの容器の底部に超音波振動子を装着したことを特徴とする請求項１記載の超音波霧化装置
【請求項３】
前記霧化容器は少なくとも２つの容器を一体にしたことを特徴とする請求項１記載の超音波霧化装置。
【請求項４】
前記霧化容器のそれぞれ隣接して液体タンクを設け、該タンク内の液体をそれぞれの前記霧化容器に供給することを特徴とする請求項１記載の超音波霧化装置。
【請求項５】
前記発振器に制御装置を接続し、該制御装置によって、前記発振器の発振周波数及び出力強度を制御することを特徴とする請求項１記載の超音波霧化装置。
【発明の詳細な説明】
【技術分野】
【０００１】
本発明は、少なくとも２つ又は複数の霧化容器を隣接して装着し、霧化容器内に異なった液体を入れて放出口より異なった液体の霧化粒子を混合して放出する用にした超音波霧化装置に関するものである。
【背景技術】
【０００２】
従来、この種の超音波霧化装置としては、図５に示すように、筐体１の内部に霧化容器２が構成され、霧化容器２にタンク３から霧化される液体４が所定の液体面まで注入され、又、霧化容器２の下部に超音波振動子５が装着され、超音波振動子５に発振器６から発振出力が供給され、さらに、筐体１の側壁にファン７が装着されたものが提案されている。
【０００３】
このように構成された従来の超音波霧化装置では、超音波振動子５に発振器６から発振出力が供給されると、超音波振動子５から超音波が発生し、霧化容器２に注入された液体４の液柱４ａが発生し、液柱４ａから霧化粒子４ｂが千切れて霧化され、又、ファン７を駆動することにより、発生した霧化粒子４ｂは上方に噴出されるように構成されている。
【０００４】
しかしながら、このように構成した従来の超音波霧化装置では、１つの霧化容器に１つの液体が入れられて霧化されるため、複数の液体の霧化粒子を混合した放出することはできず、異なった液体を混合した場合は、使用できる液体が決まってくるので、使用した液体によって超音波振動子の電触の恐れがある。
【特許文献１】特願平７−１８４７５９号
【発明の開示】
【発明が解決しようとする課題】
【０００５】
解決しようとする問題点は、１つの霧化容器に１つの液体が入れられて霧化されるため、複数の液体の霧化粒子を混合した放出することはできないという問題があった。
【課題を解決するための手段】
【０００６】
本発明では、１つの筐体の内部にしきりを設けて分離して少なくとも２つの霧化粒子を構成し、上部に１つの放出口を設け、霧化容器の底部にそれぞれ超音波振動子を装着し、筐体の底部に発振器が装着され、発振器から発振出力を超音波振動子にそれぞれ印可してからなり、２つのの霧化容器に異なった液体を入れ、それぞれ発生した霧化粒子を前記放出口から混合して放出するものである。
【発明の効果】
【０００７】
本発明の超音波霧化装置では、複数の霧化容器に異なった液体をいれ、複数の霧化容器から異なった液体を霧化することにより、複数の霧化粒子が混合して放出されるという利点がある。
【発明を実施するための最良の形態】
【０００８】
本発明では、複数の霧化容器を隣接して装着し、これらの隣接した複数の霧化容器に異なった液体をいれ、１つの放出口から複数の容器で霧化された霧化粒子を混合して放出するこものである。ものである。
【実施例】
【０００９】
図１は本発明の実施例の超音波霧化装置の構成図で、筐体８のほぼ中央にしきり９を設けて２つの霧化容器１０、１１を構成し、この霧化容器１０、１１の底部にそれぞれ超音波振動子１２．１３を装着し、これらの超音波振動子１２．１３に、筐体８の底部に装着した発振器１４から発振出力を印可し、又、２つの霧化容器１０，１１の上部に１つの放射口１５を設けた覆い１６が装着されている。
【００１０】
このように構成された本実施例の超音波霧化装置では、２つの霧化容器１０，１１にそれぞれ異なった霧化液体１７，１８を入れ、発振器１４から超音波振動子１２，１３に発振出力を印可することによって、それぞれの容器１０，１１の霧化液体１７，１８が霧化される液柱１７ａ、１８ａが発生し、液柱１７ａ、１８ａから霧化粒子１７ｂ、１８ｂが発生するので、これらの霧化粒子１７ｂ、１８ｂは１つの放出口１５から混合されて放出される。
【００１１】
図２は本発明の他の実施例の超音波霧化装置の上面図で、筐体８をしきり９で３つの霧化容器１０，１１，１８を構成し、この３つの霧化容器１０，１１，１９の底部にそれぞれ超音波振動子１２，１３，２０を装着し、霧化容器１０，１１，１９の上部に覆い１６を設け、この覆い１６に放出口１５が形成され、発振器１４から超音波振動子１２，１３，１９に発振出力が印可され、それぞれの霧化容器１０，１１，１９から霧化粒子が発生し、放出口１５から混合されて放出される。
【００１２】
図３は本発明の他の実施例の超音波霧化装置の側面断面図で、８は筐体、９はしきり、１０，１１は霧化容器、１２，１３は超音波振動子、１４は発振器、１５は放出口、１６は覆いで、これらの構成は上記実施例と同じであるので、説明は省略するが、本実施例は、霧化容器１０，１１に隣接して異なった液体を入れたタンク２１，２２が装着され、又、発振器１４に制御装置２３が接続されている。
【００１３】
このように構成された超音波霧化装置では、タンク２１，２２の液体をそれぞれ霧化容器１０，１１に直接供給するので、霧化容器１０，１１内の霧化粒子の発生が持続され、又、制御装置２３で発振器１４の周波数や出力を調整することにより、霧化粒子の混合割合を調整することができ、さらに、霧化容器１０，１１及びタンク２１，２２を着脱可能にすることにより、専用の霧化容器とすることができる。
【００１４】
図４は本発明の他の実施例の超音波霧化装置の側面断面図で、８は筐体、９はしきり、１０，１１は霧化容器、１２，１３は超音波振動子、１４は発振器、１５は放出口、１６は覆い、２１，２２はタンク、２３は制御装置で、これらの構成は上記実施例と同じであるので、説明は省略するが、本実施例では、タンク２１，２２隣接して装着され、タンク２１と霧化容器１０は隣接して装着されている。
【００１５】
このように構成された本実施例の超音波霧化装置でも、上記実施例と同様の効果が得られる。
【産業上の利用可能性】
【００１６】
なお、上記実施例において、  筐体８にしきり９を設けて複数の霧化容器１０．１１又は１８を形成したが、別に構成した複数の霧化容器を一体に構成子、その上に放出口を設けた覆いを被せるようにしてもよい。
【図面の簡単な説明】
【００１７】
【図１】本発明の実施例の超音波霧化装置の側面断面図である。
【図２】本発明の他の実施例の超音波霧化装置の平面図である。
【図３】本発明のさらに他の実施例の超音波霧化装置の側面断面図である。
【図４】本発明のさらに他の実施例の超音波霧化装置の側面断面図である。
【図５】従来の超音波霧化装置の側面断面図である。
【符号の説明】
【００１８】
８                筐体
９                しきり
１０、１１        霧化容器
１２，１３        超音波振動子
１４              発振器
１５              放出口
１６              覆い
１７，１８        霧化液体
１９              霧化容器
２０              超音波振動子
２１、２２        タンク
２３              制御装置              
【図１】
2009034585.tif 000003
【図２】
2009034585.tif 000004
【図３】
2009034585.tif 000005
【図４】
2009034585.tif 000006
【図５】
2009034585.tif 000007